(57)【要約】【課題】  バッテリー式フォークリフトにおいて、運転座席１３の下方のバッテリーカバー２６を上方回動させることなくバッテリー２２をメンテナンス可能な構成を提供する。【解決手段】  フォークリフトの機台１０は、前輪１８を含む前輪側アッセンブリ４０Ｆと、後輪１９を含む後輪側アッセンブリ４０Ｒとを備えており、両アッセンブリ４０Ｆ・４０Ｒがスライド機構３３を介して相対的に前後移動自在となるよう連結されている。前輪側アッセンブリ４０Ｆは、バッテリー２２を覆うバッテリーカバー２６を含む。また、後輪側アッセンブリ４０Ｒは、バッテリー２２をフレーム３１を介して支持している。バッテリー２２のメンテナンスが必要な場合、前輪１８を制動した状態で後輪１９を後方へ駆動させることで、選択図のように後輪側アッセンブリ４０Ｒが後方へ移動してバッテリー２２を露出させた状態とでき、容易にメンテナンス作業を行うことができる。【選択図】  図２ 
2005298188.tif 000002
【特許請求の範囲】
【請求項１】
被メンテナンス部品を備えるフォークリフトであって、当該被メンテナンス部品及びそれを支持する支持部が他の部分に対して相対的に機台後方側に移動することによって前記被メンテナンス部品を露出させることが可能であることを特徴とするフォークリフト。
【請求項２】
被メンテナンス部品を備えるフォークリフトであって、当該被メンテナンス部品及びそれを支持する支持部が他の部分に対して相対的に機台側方側に移動することによって前記被メンテナンス部品を露出させることが可能であることを特徴とするフォークリフト。
【請求項３】
被メンテナンス部品を備えるフォークリフトであって、当該被メンテナンス部品及びそれを支持する支持部が他の部分に対して機台前方側へ近づいている第１の状態と、前記被メンテナンス部品及び前記支持部が他の部分から機台後方側へ離れている第２の状態と、に切り換えることが可能であることを特徴とするフォークリフト。
【請求項４】
被メンテナンス部品を備えるフォークリフトであって、当該被メンテナンス部品及びそれを支持する支持部が他の部分に対して機台左右一側へ近づいている第１の状態と、前記被メンテナンス部品及び前記支持部が他の部分から機台左右他側へ離れている第２の状態と、に切り換えることが可能であることを特徴とするフォークリフト。
【請求項５】
請求項１から請求項４までの何れか一項に記載のフォークリフトであって、前記被メンテナンス部品はバッテリーを含むことを特徴とするフォークリフト。
【請求項６】
請求項５に記載のフォークリフトであって、前記バッテリーは運転座席の直下に配置されており、このバッテリーが露出するときは、当該バッテリーの位置は、上記運転座席の直下の位置から外れていることを特徴とするフォークリフト。
【請求項７】
請求項１から請求項６までの何れか一項に記載のフォークリフトであって、前記被メンテナンス部品は、フォークリフトを制御するコントローラを含むことを特徴とするフォークリフト。
【請求項８】
請求項１から請求項７までの何れか一項に記載のフォークリフトであって、前記支持部は前記他の部分に対しスライド機構によって案内されていることを特徴とするフォークリフト。
【請求項９】
請求項８に記載のフォークリフトであって、前記支持部は細長いフレームを有しており、このフレームによって前記被メンテナンス部品を支持するとともに、当該フレームが前記スライド機構によって前記他の部分に対しスライド自在に取り付けられていることを特徴とするフォークリフト。
【請求項１０】
請求項１から請求項９までの何れか一項に記載のフォークリフトであって、前記支持部は前記被メンテナンス部品の下面を支持していることを特徴とするフォークリフト。
【請求項１１】
請求項１から請求項９までの何れか一項に記載のフォークリフトであって、前記支持部は前記被メンテナンス部品の側面を支持していることを特徴とするフォークリフト。
【請求項１２】
請求項１から請求項１１までの何れか一項に記載のフォークリフトであって、前記支持部はフォークリフトの後輪を含んでいることを特徴とするフォークリフト。
【請求項１３】
請求項１２に記載のフォークリフトであって、前記支持部には前記後輪を駆動するための電動モータ及び減速機構が備えられていることを特徴とするフォークリフト。
【請求項１４】
請求項１２又は請求項１３に記載のフォークリフトであって、前記他の部分はフォークリフトの前輪を含んでいることを特徴とするフォークリフト。
【請求項１５】
請求項１４に記載のフォークリフトであって、前記前輪を停止させた状態で前記後輪を後方へ駆動することにより、前記被メンテナンス部品及び前記支持部を前記他の部分に対して後方へ移動させることが可能であることを特徴とするフォークリフト。
【請求項１６】
請求項１５に記載のフォークリフトであって、前記他の部分はオペレータの座する運転座席を含んでいることを特徴とするフォークリフト。
【請求項１７】
請求項１５又は請求項１６に記載のフォークリフトであって、前記被メンテナンス部品及び前記支持部を前記他の部分に対して後方へスライド移動させる際に前記前輪に制動力を与えるためのブレーキ機構を備えているフォークリフト。
【請求項１８】
請求項１７に記載のフォークリフトであって、前記ブレーキ機構はパーキングブレーキ機構を兼ねていることを特徴とするフォークリフト。
【請求項１９】
請求項１から請求項１１までの何れか一項に記載のフォークリフトであって、油圧シリンダにより前記被メンテナンス部品及び前記支持部を前記他の部分に対して相対的に移動させることを特徴とするフォークリフト。
【請求項２０】
請求項１から請求項１９までの何れか一項に記載のフォークリフトであって、前記支持部が前記他の部分に対して近づいた状態、及び、前記支持部が前記他の部分から離れた状態において、当該支持部の移動を阻止するロック機構を設けたことを特徴とするフォークリフト。
【請求項２１】
フォークリフトに備えられている被メンテナンス部品のメンテナンス方法であって、
当該被メンテナンス部品及びそれを支持する支持部を他の部分に対して相対的に機台後方側又は側方側に移動させることで前記被メンテナンス部品を露出させる工程を含むことを特徴とする、メンテナンス方法。
【請求項２２】
請求項２１に記載のメンテナンス方法であって、
前記支持部はフォークリフトの後輪を含み、前記他の部分はフォークリフトの前輪を含むとともに、
前記工程においては、前記前輪又は前記後輪の一方のみを駆動することにより、前記支持部を前記他の部分から相対的に離れさせることを特徴とする、メンテナンス方法。
【請求項２３】
請求項２２に記載のメンテナンス方法であって、前記工程においては、前記前輪を停止させて前記後輪のみを後方へ駆動することを特徴とするメンテナンス方法。
【請求項２４】
請求項２３に記載のメンテナンス方法であって、前記工程における前記前輪の停止は、当該前輪にパーキングブレーキを掛けることで行うことを特徴とするメンテナンス方法。
【請求項２５】
請求項２３又は請求項２４に記載のメンテナンス方法であって、
前記後輪は操舵輪として構成されるとともに、前記工程においては、前記後輪を中立状態とした上で後方へ駆動することを特徴とするメンテナンス方法。
【請求項２６】
請求項２１から請求項２５までの何れか一項に記載のメンテナンス方法であって、
前記フォークリフトは、前記支持部が前記他の部分に対して近づいた状態でロックするロック機構を備えており、
前記被メンテナンス部品のメンテナンス時には、当該ロック機構のロックを外してから前記工程を行うことを特徴とするメンテナンス方法。
【発明の詳細な説明】
【技術分野】
【０００１】
本発明は、メンテナンスすべき部品（被メンテナンス部品）を備えるとともに、当該被メンテナンス部品に容易にアクセスしてメンテナンス可能なフォークリフトの構成に関する。
【背景技術】
【０００２】
この種のフォークリフトとしては例えば特許文献１に開示されるものがある。この構成はバッテリー式のリーチ式フォークリフトに係るものであって、特許文献１の図９に示すように、車体の前面に設けたリーチレールに前後動可能にリーチキャリッジを配設し、リーチキャリッジにはトレイを介してバッテリーを配設している。バッテリーは通常時（リーチ車による荷役作業時など）は機台のフロントプロテクタ下方の収納部に収納されているが、バッテリーの交換や補水等のメンテナンス時には、リーチキャリッジとバッテリーとを係合させてリーチキャリッジを前方へ移動させることにより、バッテリーをトレイとともに前記収納部から前方へ引き出して、当該バッテリーの交換や補水を容易としている。なお、バッテリーの交換は、通常は、別の充電器で充電された別のバッテリーに交換する場合と、バッテリーの寿命により新品のバッテリーに交換する場合の２つの場合が考えられる。
【０００３】
特許文献１の構成は上述のとおり、バッテリーの交換や補水のための当該バッテリーへのアクセス性を向上し得る点で優れている。しかしながら、バッテリーを前方へ引き出すのにフォークのリーチ動作を利用する構成であることから、リーチ式以外のフォークリフトに適用することは全く不可能である。
【０００４】
従って、例えばカウンタ式のフォークリフトでは、特許文献２に示すような構成としていた。即ち特許文献２の図２に示すように、機台においてはシートの真下にバッテリーを搭載するとともに、当該バッテリーを覆うバッテリーカバーを座席シートとともに後方へ回動可能に構成する（特許文献２の図２の鎖線参照）。そしてバッテリーの交換の必要が生じた場合には、天井走行クレーン等の吊上装置から垂下したワイヤーロープによりバッテリーを上方へ吊り上げて取り外す。なお、機台の上方から前記ワイヤーロープを通すことができるようにヘッドガードには車体左右方向の凹部を設けており（特許文献の図２及び図４に示す符号２１）、その凹部にワイヤーロープを通して、バッテリーを吊り上げるようにしている。
【特許文献１】特開平７−１７２７９０号公報（０００２〜０００５、図８、図９）
【特許文献２】特開２００２−６３８８４号公報（０００５、０００７、図２、図４）
【発明の開示】
【発明が解決しようとする課題】
【０００５】
しかしながら特許文献２の構成では、バッテリーの点検や交換の際に重いバッテリーカバーを開ける必要があり、作業者にとって重労働である。また、機台の前後面や天井や左右に囲いを有するキャビン仕様のフォークリフトでは、バッテリーカバーを後方へ回動するために後面の囲いを開く必要が生じ、バッテリーの点検等の作業に更に手間を要する。
【０００６】
更には、フォークリフトのオペレータは運転座席の周囲（バッテリーカバー上）に何らかの小物を置いて運転することが多いが、バッテリーの点検等のためにバッテリーカバーを開く都度、それらの小物を片付けなければならず、煩雑である。
【０００７】
なお、ヘッドガードに特許文献２の図４のような凹部を設けて、そこに吊上げのためのワイヤーロープ等を挿通させることすると、そのような凹部を設けてもヘッドガードに必要とされる強度を確保するために、ヘッドガードには、車体左右方向に延びる補強部材が必要になる。前記特許文献２では桟（当該文献の図４の符号２２）が、当該補強部材としての役割を果たしている。しかし、そのように補強部材（桟）をヘッドガードに取り付けると、その分だけ左右方向の部材が増えてしまう。これでは、運転座席のオペレータの前側上方の視界がヘッドガードによって遮られ易いことになり、荷役作業等の際の視界の確保の点から望ましくない。また、ワイヤーロープをヘッドガードの凹部に通してバッテリーの交換作業を行うので、その際にヘッドガードを傷つけてしまいやすい。
【０００８】
本願発明は以上の事情に鑑みてされたものであり、その目的は、フォークリフトにおいて、バッテリー等の被メンテナンス部品を通常時は機台内部など嵩張らない場所に配置して機台のコンパクト性を確保するとともに、メンテナンスが必要になった際はその部品に簡単にアクセス可能とする構成を提供することにある。
【課題を解決するための手段及び効果】
【０００９】
本発明の解決しようとする課題は以上の如くであり、次にこの課題を解決するための手段とその効果を説明する。
【００１０】
◆（１）本発明の第１の観点によれば、被メンテナンス部品を備えるフォークリフトであって、当該被メンテナンス部品及びそれを支持する支持部が他の部分に対して相対的に機台後方側に移動することによって前記被メンテナンス部品を露出させることが可能である、フォークリフトが提供される。
【００１１】
なお、「露出させる」とは、（ａ）その被メンテナンス部品が全く外部に露出していなかった状態から、少なくとも一部が露出した状態になった場合を含み、また、（ｂ）その被メンテナンス部品が既にある程度露出していたが、更に露出の程度が増大した場合も含む。これは以下の記述でも同様である。
【００１２】
また、「相対的に・・・移動」とは、支持部のみが移動する場合、他の部分のみが移動する場合、支持部及び他の部分が双方ともに移動する場合の何れも含む。これは以下の記述でも同様である。
【００１３】
上記の構成により、通常使用時は被メンテナンス部品を収まりの良い位置としてコンパクト性を確保するとともに、メンテナンス必要時には機台後方側へ被メンテナンス部品を相対的に移動させて露出させることで、メンテナンスが容易になる。
【００１４】
◆（２）本発明の第２の観点によれば、被メンテナンス部品を備えるフォークリフトであって、当該被メンテナンス部品及びそれを支持する支持部が他の部分に対して相対的に機台側方側に移動することによって前記被メンテナンス部品を露出させることが可能である、フォークリフトが提供される。
【００１５】
これによれば、通常使用時は被メンテナンス部品を収まりの良い位置としてコンパクト性を確保するとともに、メンテナンス必要時には機台側方側へ被メンテナンス部品を相対的に移動させて露出させることで、メンテナンスが容易になる。
【００１６】
◆（３）本発明の第３の観点によれば、被メンテナンス部品を備えるフォークリフトであって、当該被メンテナンス部品及びそれを支持する支持部が他の部分に対して機台前方側へ近づいている第１の状態と、前記被メンテナンス部品及び前記支持部が他の部分から機台後方側へ離れている第２の状態と、に切り換えることが可能である、フォークリフトが提供される。
【００１７】
これにより、通常使用時は第１の状態として、支持部及び他の部分を含めた全体でのコンパクト性を確保できる。一方、メンテナンス時には前記支持部が前記他の部分から後方側へ離れた第２の状態とすることで、被メンテナンス部品に対するアクセスの際に前記他の部分が邪魔になりにくくなって、メンテナンスを容易とできる。
【００１８】
◆（４）本発明の第４の観点によれば、被メンテナンス部品を備えるフォークリフトであって、当該被メンテナンス部品及びそれを支持する支持部が他の部分に対して機台左右一側へ近づいている第１の状態と、前記被メンテナンス部品及び前記支持部が他の部分から機台左右他側へ離れている第２の状態と、に切り換えることが可能である、フォークリフトが提供される。
【００１９】
これにより、通常使用時は第１の状態として、支持部及び他の部分を含めた全体でのコンパクト性を確保できる。一方、メンテナンス時には前記支持部が前記他の部分から機台左右他側へ離れた第２の状態とすることで、被メンテナンス部品に対するアクセスの際に前記他の部分が邪魔になりにくくなって、メンテナンスを容易とできる。
【００２０】
◆（５）前記のフォークリフトにおいては、前記被メンテナンス部品はバッテリーを含むことが好ましい。
【００２１】
これにより、バッテリーの点検や交換などのメンテナンスが簡単に行える。特にバッテリーは重量物であるため、上記構成によるメンテナンス性向上の効果は顕著である。
【００２２】
◆（６）前記のフォークリフトにおいては、前記バッテリーは運転座席の直下に配置されており、このバッテリーが露出するときは、当該バッテリーの位置は、上記運転座席の直下の位置から外れていることが好ましい。
【００２３】
このように、通常時はバッテリーが運転座席の直下に配置されていたとしても、当該バッテリーをメンテナンスする際の位置は運転座席の直下から外れた位置となっているため、特許文献２のように、運転座席を含んだバッテリーカバーを回動してバッテリーを露出させる必要がない。この結果、メンテナンス作業の際の重労働や煩雑さを低減できる。また、バッテリー交換時には、当該バッテリーを運転座席の直下から外れた位置（即ち、ヘッドガードの直下から外れた位置）とできる。従って、バッテリー交換のためにヘッドガードにワイヤーロープ等を通す必要がなくなるので、ヘッドガードの凹部が必要なくなり、ヘッドガードの補強部材を省略できてオペレータの前側上方視界が良好になる。更に、バッテリー交換の吊上げ作業時にヘッドガードを傷つけてしまう心配もない。
【００２４】
◆（７）前記のフォークリフトにおいては、前記被メンテナンス部品は、フォークリフトを制御するコントローラを含むことが好ましい。
【００２５】
これにより、コントローラの点検や修理などのメンテナンスが簡単に行える。
【００２６】
◆（８）前記のフォークリフトにおいては、前記支持部は前記他の部分に対しスライド機構によって案内されていることが好ましい。
【００２７】
これにより、支持部と他の部分との相対移動方向がスライド機構によって案内されるので、被メンテナンス部品を露出させる動作が確実になる。
【００２８】
◆（９）前記のフォークリフトにおいては、前記支持部は細長いフレームを有しており、このフレームによって前記被メンテナンス部品を支持するとともに、当該フレームが前記スライド機構によって前記他の部分に対しスライド自在に取り付けられていることが好ましい。
【００２９】
これにより、被メンテナンス部品を支持部によって支持する簡素で合理的なレイアウトが実現される。
【００３０】
◆（１０）前記のフォークリフトにおいては、前記支持部は前記被メンテナンス部品の下面を支持していることが好ましい。
【００３１】
これにより、支持部の車両左右方向のコンパクト性を良好とできる。
【００３２】
◆（１１）前記のフォークリフトにおいては、前記支持部は前記被メンテナンス部品の側面を支持していることが好ましい。
【００３３】
これにより、被メンテナンス部品を含めた支持部の上下方向のコンパクト性を良好とできる。従って、車両の最低地上高を大きく確保できる。或いは、例えば前記被メンテナンス部品がバッテリーであり、運転座席が当該バッテリーの直上方にあるレイアウトの場合は、運転座席の高さを低くしてオペレータのヘッドクリアランスを大きく確保することができる。
【００３４】
◆（１２）前記のフォークリフトにおいては、前記支持部はフォークリフトの後輪を含んでいることが好ましい。
【００３５】
これにより、フォークリフトの後輪に被メンテナンス部品の重量をサポートさせることが可能になって、被メンテナンス部品を安定して支持することができる。
【００３６】
◆（１３）前記のフォークリフトにおいては、前記支持部には前記後輪を駆動するための電動モータ及び減速機構が備えられていることが好ましい。
【００３７】
これにより、後輪を電動モータ及び減速機構を介して駆動することで、支持部を他の部分から相対的に移動させることができる。従って、被メンテナンス部品をメンテナンスし易くするために必要な動力を、フォークリフトを走行させるための電動モータによって発生させることが可能になる。また、電動モータと減速機構と後輪が支持部に配置されていることから、動力伝達構成が簡素になる。
【００３８】
◆（１４）前記のフォークリフトにおいては、前記他の部分はフォークリフトの前輪を含んでいることが好ましい。
【００３９】
これにより、被メンテナンス部品及び支持部が後輪によってサポートされ、他の部分が前輪によってサポートされる形となる。従って、支持部、前記他の部分、被メンテナンス部品の何れも安定して支持できる合理的なレイアウトとできる。更に、前輪と後輪とが離れる方向に前輪又は後輪の少なくとも何れか一方を駆動することで、簡単に被メンテナンス部品を露出させることが可能になる。
【００４０】
◆（１５）前記のフォークリフトにおいては、前記前輪を停止させた状態で前記後輪を後方へ駆動することにより、前記被メンテナンス部品及び前記支持部を前記他の部分に対して後方へ移動させることが可能であることが好ましい。
【００４１】
これにより、前輪を停止させて後輪を後方へ駆動することで、簡単に被メンテナンス部品を露出させることができる。
【００４２】
◆（１６）前記のフォークリフトにおいては、前記他の部分はオペレータの座する運転座席を含んでいることが好ましい。
【００４３】
これにより、被メンテナンス部品を露出させる動作（支持部を後方移動させる動作）の際に運転座席が静止しているので、オペレータが運転座席に座った状態で当該動作をフォークリフトに行わせ易い。
【００４４】
◆（１７）前記のフォークリフトにおいては、前記被メンテナンス部品及び前記支持部を前記他の部分に対して後方へスライド移動させる際に前記前輪に制動力を与えるためのブレーキ機構を備えていることが好ましい。
【００４５】
これにより、後輪の後方移動につられて前輪も後方へ移動することが回避され、被メンテナンス部品の露出動作を確実に行わせることができる。
【００４６】
◆（１８）前記のフォークリフトにおいては、前記ブレーキ機構はパーキングブレーキ機構を兼ねていることが好ましい。
【００４７】
これにより、前輪制動のための特別な構成を不要とでき、構成が簡素化される。
【００４８】
◆（１９）前記のフォークリフトにおいては、油圧シリンダにより前記被メンテナンス部品及び前記支持部を前記他の部分に対して相対的に移動させることが好ましい。
【００４９】
これにより、被メンテナンス部品が重量物（例えばバッテリー）であったとしても、油圧シリンダの強力な油圧力によって、当該被メンテナンス部品の露出動作を容易に行わせることができる。
【００５０】
◆（２０）前記のフォークリフトにおいては、前記支持部が前記他の部分に対して近づいた状態、及び、前記支持部が前記他の部分から離れた状態において、当該支持部の移動を阻止するロック機構を設けることが好ましい。
【００５１】
これにより、通常使用時において、意図に反して支持部が他の部分から離れて被メンテナンス部品を露出させてしまうことを防止できる。また、被メンテナンス部品のメンテナンス時において、意図に反して支持部が他の部分に近づいてしまうことを防止できる。この結果、通常使用時・メンテナンス作業時とも、作業を確実かつ円滑に行うことができる。
【００５２】
◆（２１）本発明の第５の観点によれば、以下のような、フォークリフトに備えられている被メンテナンス部品のメンテナンス方法が提供される。即ち、当該被メンテナンス部品及びそれを支持する支持部を他の部分に対して相対的に機台後方側又は側方側に移動させることで前記被メンテナンス部品を露出させる工程を含む。
【００５３】
これにより、通常使用時は被メンテナンス部品を収まりの良い位置としてコンパクト性を確保するとともに、メンテナンス時には機台後方側又は機台側方側へ支持部を相対的に移動させて被メンテナンス部品を露出させることで、メンテナンスが容易になる。
【００５４】
◆（２２）前記のメンテナンス方法においては、以下のようにすることが好ましい。前記支持部はフォークリフトの後輪を含み、前記他の部分はフォークリフトの前輪を含む。前記工程においては、前記前輪又は前記後輪の一方のみを駆動することにより、前記支持部を前記他の部分から相対的に離れさせる。
【００５５】
これにより、前輪又は後輪の一方のみを駆動することで、被メンテナンス部品を露出すべく支持部を他の部分から離れる方向に相対的に移動させ得る。即ち、被メンテナンス部品の露出のために支持部又は他の部分を移動させるために、フォークリフトの走行駆動の構成が使用でき、構成の簡素化が実現される。
【００５６】
◆（２３）前記のメンテナンス方法においては、前記工程においては、前記前輪を停止させて前記後輪のみを後方へ駆動することが好ましい。
【００５７】
これにより、簡単に被メンテナンス部品を露出させることが可能になる。
【００５８】
◆（２４）前記のメンテナンス方法においては、前記工程における前記前輪の停止は、当該前輪にパーキングブレーキを掛けることで行うことが好ましい。
【００５９】
これにより、後輪の後方移動につられて前輪も後方へ移動することが回避され、被メンテナンス部品の露出動作を確実に行わせることができる。また、パーキングブレーキを用いることで、前輪制動のための特別な構成を不要とでき、構成が簡素化される。
【００６０】
◆（２５）前記のメンテナンス方法においては、前記後輪は操舵輪として構成されるとともに、前記工程においては、前記後輪を中立状態とした上で後方へ駆動することが好ましい。
【００６１】
これにより、支持部を後輪の駆動によって真っ直ぐ後方に移動させることができ、被メンテナンス部品の露出動作が円滑に行える。
【００６２】
◆（２６）前記のメンテナンス方法においては、以下のようにすることが好ましい。前記フォークリフトは、前記支持部が前記他の部分に対して近づいた状態でロックするロック機構を備えている。前記被メンテナンス部品のメンテナンス時には、当該ロック機構のロックを外してから前記工程を行う。
【００６３】
これにより、通常使用時においてはロック機構のロックを掛けることで、支持部が意図に反して他の部分から離れてメンテナンス部品を露出させてしまうことを防止できる。一方、ロック機構のロックを外せば、被メンテナンス部品の露出動作を容易に行うことができる。
【発明を実施するための最良の形態】
【００６４】
次に、発明の実施の形態を説明する。図１は本発明の一実施形態に係るフォークリフトの全体的な構成を示した側面図、図２は図１の状態からバッテリーをメンテナンス作業のために露出させた状態を示す側面図である。図３はフォークリフトの背面図、図４はバッテリーの支持構成の変形例を示す背面図である。
【００６５】
図１に示すフォークリフトはカウンタ式のバッテリー型フォークリフトに構成しており、機台１０の前部には、荷物を保持するフォーク１１と、このフォーク１１を昇降させるためのマスト１２が設けられる。機台１０には運転座席１３が備えられ、この運転座席１３の近傍にはステアリングハンドル１４が備えられる。また機台１０には、フォーク１１の上昇／下降を行わせたりチルト動作を行わせるための操作レバー１５（図では１本のみ図示）が配設される。
【００６６】
オペレータの足元の位置には、機台１０を前進又は後進させるためのアクセルペダル２４が備えられるとともに、機台１０の進行方向を切り換えるための前後進切換スイッチ２７や、図略のブレーキペダルが配設される。また機台１０には、公知のパーキングブレーキ機構（図略）を作動させて前輪１８を制動するための駐車ブレーキレバー２３が配設される。更には機台１０には、前記運転座席１３の上側を覆って落下物からオペレータを保護するためのヘッドガード１６が、ピラー１７に支持されて備えられている。
【００６７】
機台１０には前輪１８及び後輪１９が備えられている。前輪１８は左右両側に一輪ずつ設けられる一方、後輪１９は機台左右中央に単一で配置され（図３の背面図を参照）、駆動操舵輪とされている。図１に示すように、機台１０の後部には、前記後輪１９を駆動する走行モータ２０と、この走行モータ２０の出力軸の回転を減速して後輪１９に伝達するためのドライブユニット（減速機構）２５と、が設けられる。また、機台１０の後部には、操舵のために後輪１９を旋回させるステアリング機構２１も併せて配置される。
【００６８】
前記走行モータ２０には、機台１０の内部に配置され支持された蓄電池式のバッテリー２２から電力が供給される。このバッテリー２２は、運転座席１３の直下（ヘッドガード１６の直下）の位置に配置されている。バッテリー２２の上方を覆うようにバッテリーカバー２６が配設され、前記運転座席１３はこのバッテリーカバー２６の上面に設置される。
【００６９】
ここで機台１０には、前進・後進・旋回や荷役操作がされたことを検出するための操作検出センサ等、機台１０の各種操作あるいは状態を検出するための図略のセンサ群が設けられている。更に機台１０にはエレクトリックコントロールユニット（以下、「ＥＣＵ」と表記する。）３０が装備されており、上記センサ群はこのＥＣＵ３０に電気的に接続されている。この構成により、上記ＥＣＵ３０はアクセルペダル２４、前後進切換スイッチ２７、ステアリングハンドル１４、操作レバー１５等の操作を上記センサ群により検知して、それに基づいて電動モータ（前記走行モータ２０を含む）、前記ステアリング機構２１、図示しない油圧シリンダ等を制御し、機台１０の前後進・旋回やフォーク１１の上昇・下降を行わせたりできるようになっている。
【００７０】
機台１０は大きく分けて前輪側アッセンブリ４０Ｆと後輪側アッセンブリ４０Ｒとに分かれており、両者４０Ｌ・４０Ｒがスライド機構３３によってスライド自在（換言すれば、相対的に前後移動自在）となるように連結されている。後輪側アッセンブリ４０Ｒは、後輪１９のほか、それを駆動する走行モータ２０、ドライブユニット２５、ステアリング機構２１等を含んでいる。前輪側アッセンブリ４０Ｆは、前輪１８のほか、フォーク１１、マスト１２、運転座席１３、ステアリングハンドル１４や操作レバー１５等の操作手段群、ピラー１７、ヘッドガード１６、バッテリーカバー２６等を含んでいる。
【００７１】
後輪側アッセンブリ４０Ｒは、前後方向に細長い第１フレーム３１・３１を含んでいる。この２本の第１フレーム３１・３１は、機台１０の下部に左右平行に配置されるとともに、前記バッテリー２２の下面側を支持している（図３を併せて参照）。同様に前輪側アッセンブリ４０Ｆは、前後方向に長手方向を有するとともに機台左右に１本ずつ配置した第２フレーム３２・３２を含んでいる。
【００７２】
上記第１フレーム３１・３１は、第２フレーム３２・３２に対し、スライド機構３３を介して前後スライド自在に取り付けられている。なお、本実施形態においてスライド機構３３は、図１に示すように、第２フレーム３２に前後一対で回転自在に支持されたローラ３４・３４が第１フレーム３１を支持しながら転動することで、第１フレーム３１の第２フレーム３２に対する前後方向のスライドをスムーズに案内するようになっている。ただしスライド機構３３の構成はこれに限定されず、後輪側アッセンブリ４０Ｒと前輪側アッセンブリ４０Ｆとが相対的に前後移動し得るように案内し得るものであれば良い。
【００７３】
即ち、後輪側アッセンブリ４０Ｒは第１フレーム３１・３１を介してバッテリー２２を支持しており、当該後輪側アッセンブリ４０Ｒが、本発明における「支持部」に相当する。また、前輪側アッセンブリ４０Ｆは、「その他の部分」に相当する。なお、本実施形態では、バッテリー２２やＥＣＵ３０が「被メンテナンス部品」に相当する。
【００７４】
以上の構成で、図１に示すのはフォークリフトの通常使用時の状態であり、このときは後輪側アッセンブリ４０Ｒが前輪側アッセンブリ４０Ｆに対して近づいている第１の状態とされている。この第１の状態では、本実施形態の構成ではバッテリー２２やＥＣＵ３０は露出しないよう前記バッテリーカバー２６等によって覆われていて、外部からは全くアクセスできない。
【００７５】
ここで、バッテリー２２は大きな部品であるため、設置スペースを確保し易い運転座席１３の直下の位置に当該バッテリー２２を配置するレイアウトとしている。このように、第１の状態では、バッテリー２２等を設置スペース等の事情から収まりの良い位置に配置することで、機台１０のコンパクト性を確保している。また、前記第１の状態ではバッテリー２２やＥＣＵ３０は露出しないようバッテリーカバー２６によって覆われているため、すっきりした機台の外観とできるとともに、バッテリー２２やＥＣＵ３０を外部の塵挨や泥ハネなどから確実に保護することができる。
【００７６】
なお、機台１０にはロック機構３５が配設されており、フォークリフトを運転して荷役作業を行う場合のような通常使用時においては、そのロック機構が上記第１の状態（図１）で第１フレーム３１と第２フレーム３２とをロックピン３６によって結合して、図１の状態で後輪側アッセンブリ４０Ｒが前輪側アッセンブリ４０Ｆから離れないように阻止している。
【００７７】
そして、フォークリフトのバッテリー２２を交換したり、前記ＥＣＵ３０の配線を点検したいといったような、メンテナンスの必要が生じた場合、以下のようにして、バッテリー２２やＥＣＵ３０を露出させることができる。即ちオペレータは、フォークリフトを適当な位置に停止させ、その場所で駐車ブレーキレバー２３を操作し、パーキングブレーキ機構による制動力を前輪１８に付与しておく。なお、フォークリフトの停車場所は、機台１０の後方に若干の余裕スペースがある場所としておく。そして、ステアリングハンドル１４が中立位置となっていることを確認する。
【００７８】
次に、前述のロック機構３５のロック状態を解除した後（即ち、前記ロックピン３６を抜いた後）、前後進切換スイッチ２７を後進側にセットし、アクセルペダル２４を少量踏み込む。すると、これを検知したＥＣＵ３０が走行モータ２０を駆動し、後輪１９が後方へ駆動される一方、前輪１８は前記パーキングブレーキ機構による制動によって停止される。この結果、後輪側アッセンブリ４０Ｒが前輪側アッセンブリ４０Ｆから離れるように、緩やかな速度で後方へ移動する（露出動作）。なお、機台の適宜部位（例えば、前記第１フレーム３１又は第２フレーム３２）には図示しない規制部材が固定されており、前記スライド機構３３が所定のストロークだけスライドした図２の状態となった後は、それ以上のスライド移動（後輪側アッセンブリ４０Ｒの後方への移動）は当該規制部材によって阻止されるように構成している。
【００７９】
露出動作が完了した状態が図２に示され（第２の状態）、この状態では、前記第１フレーム３１を介して後輪側アッセンブリ４０Ｒに支持されているバッテリー２２やＥＣＵ３０は、前輪側アッセンブリ４０Ｆ側の前記バッテリーカバー２６に対して後方に位置することで、外部からのアクセスがし易いように露出される。即ち、この第２の状態では、バッテリー２２やＥＣＵ３０をメンテナンスする際に、後輪側アッセンブリ４０Ｒ側の部材（例えば、バッテリーカバー２６）が邪魔になりにくい。
【００８０】
なお、図２の状態（第２の状態）において、前記ロック機構３５を作動させ、第１フレーム３１及び第２フレーム３２をロックピン３６によって結合したロック状態とすると、メンテナンス作業中にオペレータの意図に反して後輪側アッセンブリ４０Ｒが前輪側アッセンブリ４０Ｆに近づくことを防止できる点で好ましい。
【００８１】
上記の第２の状態（図２）では、バッテリー２２は、運転座席１３の直下（即ち、バッテリーカバー２６の直下、ヘッドガード１６の直下）からは、後方側に外れた位置にある。従って、重いバッテリーカバー２６や運転座席１３を前述の特許文献２のように回動しなくても、バッテリー２２を露出させ、点検等を行える。従って、バッテリーカバー２６を開けるために当該バッテリーカバー２６上に置いた小物等を片付ける必要もない。
【００８２】
また、図２の状態からバッテリー２２を交換するためにクレーン等で吊り上げようとした場合、バッテリー２２の上方にヘッドガード１６がないので、ヘッドガード１６にバッテリー２２の吊上げのためのワイヤーロープを通す必要がない。従って、ヘッドガード１６に前述の特許文献２のような凹部を設ける必要がなく、左右方向の補強部材をヘッドガード１６に追加する必要がなくなる。この結果、ヘッドガード１６の左右方向の部材を少なくしても当該ヘッドガード１６に要求される強度を十分に確保することができ、運転座席１３に着座するオペレータが前側上方の視界を確保し易い構成が実現される。また、バッテリー２２の吊上げ時にヘッドガード１６をワイヤーロープ等で傷つけてしまう心配もない。
【００８３】
なお、図２の状態から図１の状態へ戻すには、ロック機構３５をアンロック状態とした後、前後進切換スイッチ２７を前進側にセットした上でアクセルペダル２４を少量踏み込めばよい。
【００８４】
図１〜図３に示す実施形態は寸法の大きいバッテリー２２の下面を第１フレーム３１によって支持しているため、機台の左右方向のコンパクト性を向上でき、重量物たるバッテリー２２を確実に支持できるメリットがあるが、例えば図４に示すように、バッテリー２２の機台左右側面を左右一対の第１フレーム３１・３１によって挟むように固定して支持する構成としてもよい。この場合、バッテリー２２と第１フレーム３１を含めた上下方向のコンパクト性を向上でき、図４に示す機台の最低地上高ｈを大きく確保できる。なお、機台の最低地上高を確保する代わりに、バッテリー２２の取付位置を低くして運転座席１３の設置高さを低くし、オペレータのヘッドクリアランス（頭部とヘッドガード１６との距離）を大きく確保して作業性を向上させ得る構成とすることもできる。
【００８５】
図１〜図３に示す実施形態、及び図４の変形例では、後輪側アッセンブリ４０Ｒは後輪１９を含んでいる。従って、前述の露出動作の際や図２の状態においては、フォークリフトの後輪１９にバッテリー２２の重量をサポートさせることが可能である。後輪１９はもともと機台１０の重量を安定して支持し得るように設計されているため、前述の図２の状態とした場合でも、大重量のバッテリー２２を安定して支持させ得る。
【００８６】
更に、後輪側アッセンブリ４０Ｒが更に走行モータ２０やドライブユニット２５を含んでいるので、前述の露出動作のために必要な動力を、フォークリフトを走行させるための走行モータ２０によって発生させることが可能になる。また、走行モータ２０とドライブユニット２５と後輪１９の三者（露出動作機構）が後輪側アッセンブリ４０Ｒに集中配置されている（前輪側アッセンブリ４０Ｆと後輪側アッセンブリ４０Ｒとに振り分けて配置されていない）ので、走行モータ２０からドライブユニット２５を介して後輪１９に至る動力伝達構成が簡素になる。
【００８７】
また、前輪側アッセンブリ４０Ｆは前輪１８を含んでいるので、前述の図２の状態（第２の状態）とした場合でも、前輪側アッセンブリ４０Ｆの重量を前輪１８によって安定して支持させることが可能になる。更に、その前輪１８を停止させて後輪１９を駆動させることで、簡単にバッテリー２２やＥＣＵ３０等を露出させ得る。
【００８８】
なお、前輪１８を停止させて後輪１９を駆動させることで前述の露出動作（第１の状態から第２の状態への切換え）を行う場合、停止側の前輪側アッセンブリ４０Ｆに運転座席１３が含まれているため、運転座席１３を停止させた状態のまま当該露出動作を行うことができ、操作が容易である。また、前輪１８の停止は図略のパーキングブレーキ機構によって当該前輪１８に制動力を付与することで行われるため、後輪１９の後方移動につられて前輪１８も後方へ移動することが回避され、前記露出動作を確実に行わせることができる。更に、露出動作のための前輪１８の制動をパーキングブレーキ機構によって行わせることで、前輪制動のための特別な構成を不要とでき、構成の簡素化が実現される。
【００８９】
加えて、前述の第１の状態（図１）、及び第２の状態（図２）において、後輪側アッセンブリ４０Ｒの前輪側アッセンブリ４０Ｆに対する相対移動を阻止するロック機構３５を設けているので、図１の状態（フォークリフトの通常使用時）において、意図に反して後輪側アッセンブリ４０Ｒが前輪側アッセンブリ４０Ｆから離れてしまうことを防止できる。また、図２の状態（メンテナンス作業時）において、意図に反して後輪側アッセンブリ４０Ｒが前輪側アッセンブリ４０Ｆに近づいてしまうことを防止できる。この結果、通常使用時（荷役作業時）、メンテナンス作業時の何れにおいても、作業を確実かつ円滑に行うことができる。
【００９０】
また、前述の露出動作の際、操舵輪たる後輪１９を中立状態とした上で後方へ駆動するようにすることで、後輪側アッセンブリ４０Ｒを真っ直ぐ後方へ移動させることができ、バッテリー２２等の露出動作をスムーズに行うことができる。
【００９１】
以上に本発明の好適な実施形態及び変形例を説明したが、本発明の技術的範囲は上記に限定されず、例えば次のように変更して実施することができる。
【００９２】
（１）前述の露出動作の際の前輪１８の停止は、パーキングブレーキ機構による制動によって行うことに代えて、他のブレーキ機構を用いることもできる。また、前輪１８をブレーキ機構で制動することに代えて、例えば前輪１８に輪止めを装着することで前輪１８の停止を行わせることもできる。
【００９３】
（２）フォークリフトの操作手段の構成は上記に限定されず、例えば前後進切換スイッチ２７の代わりに前後進切換レバーを用いても良い。
【００９４】
（３）後輪側アッセンブリ４０Ｒを停止させ、前輪側アッセンブリ４０Ｆを前方へ移動させることでも、前述の露出動作を行わせることができる。例えば、後輪側を制動するパーキングブレーキを備えるタイプのフォークリフトの場合、後輪１９を停止させた状態で前輪１８を前方へ駆動すれば、バッテリー２２等を露出させ、メンテナンス作業に適した状態とすることができる。この場合でも、バッテリー２２や後輪側アッセンブリ４０Ｒが前輪側アッセンブリ４０Ｆに対し「相対的に」後方に移動する点では、前述の図１・図２に示す実施形態と変わらない。
【００９５】
（４）機台の前後面や天井や左右に囲いを有するキャビン仕様のフォークリフトに本発明の構成を適用することもできる。このキャビン仕様の場合、本発明によればバッテリー２２等を露出させるためにバッテリーカバー２６を回動する必要がないので、バッテリーのメンテナンス時にキャビン後面の囲いを開く作業をも不要とでき、好適である。
【００９６】
（５）前述のロック機構３５は、ロックピン３６によってロックすることのほか、他の公知のロック機構を用いることができる。なお、ロック機構３５は、運転座席１３に乗った状態でオペレータが操作できることが望ましい。例えば、ロックピン３６の挿脱をＥＣＵ３０によって制御されるソレノイドによって行うようにし、運転座席に設けたロック切換スイッチをＥＣＵ３０に電気的に接続することが考えられる。あるいは、機械的なワイヤー機構やリンク機構等を介して、運転座席に設けたレバーと前記ロックピン３６とを連係させることが考えられる。
【００９７】
（６）バッテリー２２を前後方向に細長い第１フレーム３１・３１によって支持する構成に限定されず、バッテリー２２の支持構成は、例えば板状の支持部材によって支持するなど、様々に考えられる。
【００９８】
（７）被メンテナンス部品は、バッテリー２２やＥＣＵ３０に限定されない。例えば、前述の走行モータ２０をメンテナンスする場合も、第１の状態（図１）とするより第２の状態（図２）とする方が、露出部分が増え、走行モータ２０の修理等のメンテナンス作業をより容易に行える。
【００９９】
（８）前記第１の状態から第２の状態へ、あるいは逆へ切り換えるための駆動力は、走行モータ２０から得る構成に限られない。例えば前輪側アッセンブリ４０Ｆと後輪側アッセンブリ４０Ｒとの間に油圧シリンダを介在させ、この油圧シリンダを伸長駆動させることで後輪側アッセンブリ４０Ｒを後方へ移動させて、前述の露出動作をさせることが考えられる。この場合、数百キログラムにも及ぶ重量のバッテリー２２を後輪側アッセンブリ４０Ｒとともに強力な油圧力で移動させて露出動作を行わせることができる利点がある。ただし、図１・図２の実施形態のように走行モータ２０による後輪駆動によって露出動作を行わせる方が、荷役作業等の際に後輪１９を駆動する走行モータ２０を、図１の状態と図２の状態との間の切換のための駆動力としても用いることができ、構成を簡素化できる点で有利である。また図１・図２の実施形態では、図１・図２の状態間の切換操作を走行操作のためのアクセルペダル２４及び前後進切換スイッチ２７で行うことができるから、操作系統の複雑化や前記ＥＣＵ３０による制御の複雑化を回避できる点でも有利である。
【０１００】
（９）バッテリー２２等の被メンテナンス部品を支持する支持部は、後輪１９を含んでいなくても良い。例えば、バッテリーを支持するフレームを、前輪及び後輪を含む機台に対してスライド機構を介して前後移動自在に支持し、機台からバッテリー及びフレームを後方に引き出すことで当該バッテリーを露出させる構成が考えられる。この場合、本発明の「支持部」にはフレームが相当し、本発明の「他の部分」には前輪及び後輪を含む機台全体（ただし、フレーム及びバッテリーを除く）が相当する。なお、バッテリー及びフレームを後方に駆動するには、例えば油圧シリンダを用いれば良い。
【０１０１】
（１０）前記の（９）の場合では、バッテリーを支持するフレームを機台左右方向に配置するとともに、機台に対し左右方向にスライド自在に支持する構成も考えられる。この場合は、バッテリー及びフレーム（支持部）が機台に対して左右一側に近づいている状態（第１の状態）で通常の荷役作業等を行い、バッテリーのメンテナンス時には、バッテリー及びフレームが左右他側に引き出されて機台から離れることで、バッテリーを露出した状態（第２の状態）とできる。この場合も、バッテリー及びフレームを機台左右方向に駆動するには、例えば油圧シリンダを用いれば良い。
【０１０２】
（１１）本発明はカウンタ式のフォークリフトに限らず、他の形式、例えばリーチ式のフォークリフトに対しても適用することができる。
【図面の簡単な説明】
【０１０３】
【図１】本発明の一実施形態に係るフォークリフトの全体的な構成を示した側面図。
【図２】図１の状態からバッテリーをメンテナンス作業のために露出させた状態を示す側面図。
【図３】フォークリフトの背面図。
【図４】バッテリーの支持構成の変形例を示す背面図。
【符号の説明】
【０１０４】
１０  機台
１８  前輪（他の部分の一部）
１９  後輪（支持部の一部）
２２  バッテリー（被メンテナンス部品）
３０  ＥＣＵ（被メンテナンス部品）
３１  第１フレーム（フレーム、支持部の一部）
３３  スライド機構
３５  ロック機構
４０Ｆ  前輪側アッセンブリ（他の部分）
４０Ｒ  後輪側アッセンブリ（支持部）
【図１】
2005298188.tif 000003
【図２】
2005298188.tif 000004
【図３】
2005298188.tif 000005
【図４】
2005298188.tif 000006